(57)【要約】【課題】煮汁等によりスイッチがカバーに固着されてしまうことを抑制可能な加熱調理器を提供する。【解決手段】加熱調理器は、前面を有する操作部本体と、前面に取り付けられたカバーとを備えている。カバーは、前面に対向している第１面と、第１面の反対面である第２面とを含む第１部材を有する。操作部本体は、第１面から第２面へと向かう第１方向に沿って前面から突出しているスイッチを有する。第１部材には、第１方向に沿って第１部材を貫通しているとともに、スイッチが挿通された第１穴と、第１穴の内壁面からスイッチの外周面に向かって突出する少なくとも１個のリブとが形成されている。少なくとも１個のリブの第１方向における厚さの値は、第１穴の第１方向における長さの値よりも小さい。【選択図】図２
2020186876.tif 000002
【特許請求の範囲】
【請求項１】
前面を有する操作部本体と、
前記前面に取り付けられたカバーとを備え、
前記カバーは、前記前面に対向している第１面と、前記第１面の反対面である第２面とを含む第１部材を有し、
前記操作部本体は、前記第１面から前記第２面へと向かう第１方向に沿って前記前面から突出しているスイッチを有し、
前記第１部材には、前記第１方向に沿って前記第１部材を貫通しているとともに、前記スイッチが挿通された第１穴と、前記第１穴の内壁面から前記スイッチの外周面に向かって突出する少なくとも１個のリブとが形成されており、
前記少なくとも１個のリブの前記第１方向における厚さの値は、前記第１穴の前記第１方向における長さの値よりも小さい、加熱調理器。
【請求項２】
前記カバーは、第２部材をさらに有し、
前記第２部材は、前記第２面に対向している第３面と、前記第３面の反対面である第４面とを含み、
前記第２部材には、前記第１方向に沿って前記第２部材を第２貫通しているとともに、前記スイッチが挿通された第２穴が形成されており、
前記第２穴の周囲にある前記第３面及び前記第２穴の周囲にある前記第４面は、平坦になっており、
前記少なくとも１個のリブは、前記第１穴中における前記スイッチの第２方向及び第３方向に沿った移動を規制するように配置されており、
前記第２方向は、前記第１方向に直交しており、
前記第３方向は、前記第１方向及び前記第２方向に直交している、請求項１に記載の加熱調理器。
【請求項３】
前記第１部材は、樹脂材料製であり、
前記第２部材は、金属材料製である、請求項２に記載の加熱調理器。
【請求項４】
前記少なくとも１個のリブは、前記第１方向において、前記第１面と面一になっている端面を含む、請求項１〜請求項３のいずれか１項に記載の加熱調理器。
【請求項５】
前記少なくとも１個のリブは、複数のリブであり、
前記複数のリブの各々は、前記内壁面に沿って互いに離間して配置されている、請求項１〜請求項４のいずれか１項に記載の加熱調理器。
【請求項６】
前記少なくとも１個のリブは、前記外周面と点接触可能な形状を有する、請求項１〜請求項５のいずれか１項に記載の加熱調理器。
【請求項７】
前記外周面は、前記外周面と前記内壁面との間隔が前記第２面側から前記第１面側へ向かうにしたがって狭まるように傾斜している、請求項１〜請求項６のいずれか１項に記載の加熱調理器。
【発明の詳細な説明】
【技術分野】
【０００１】
本発明は、加熱調理器に関する。
【背景技術】
【０００２】
特許文献１（特開２０１４−３５１２３号公報）には、加熱調理器が記載されている。特許文献１に記載の加熱調理器は、操作部本体と、操作部本体の前面に取り付けられた操作部カバーとを有している。操作部本体は、スイッチを有している。スイッチは、操作部本体の前面から突出している。操作部カバーには、ボタンが挿通されている穴が形成されている。
【先行技術文献】
【特許文献】
【０００３】
【特許文献１】特開２０１４−３５１２３号公報
【発明の概要】
【発明が解決しようとする課題】
【０００４】
特許文献１に記載の加熱調理器において、穴の内壁面にリブを形成した場合、煮汁等がリブとスイッチとの間に入り込むことにより、スイッチがカバーに固着されてしまうおそれがある。煮汁等によりスイッチがカバーに固着されてしまうと、スイッチの押下が困難になる。
【０００５】
本発明は、上記のような従来技術の問題点に鑑みてなされたものである。より具体的には、本発明は、煮汁等によりスイッチがカバーに固着されてしまうことを抑制可能な加熱調理器を提供するものである。
【課題を解決するための手段】
【０００６】
本発明の一態様に係る加熱調理器は、前面を有する操作部本体と、前面に取り付けられたカバーとを備える。カバーは、前面に対向している第１面と、第１面の反対面である第２面とを含む第１部材を有する。操作部本体は、第１面から第２面へと向かう第１方向に沿って前面から突出しているスイッチを有する。第１部材には、第１方向に沿って第１部材を貫通しているとともに、スイッチが挿通された第１穴と、第１穴の内壁面からスイッチの外周面に向かって突出する少なくとも１個のリブとが形成されている。少なくとも１個のリブの第１方向における厚さの値は、第１穴の第１方向における長さの値よりも小さい。
【０００７】
本発明の一態様に係る加熱調理器によると、リブと煮汁等との接触面積を小さくすることができるため、スイッチがカバーに固着されてしまうことを抑制できる。
【０００８】
上記の加熱調理器において、カバーは、さらに、第２部材を有していてもよい。第２部材は、第２面に対向している第３面と、第３面の反対面である第４面とを含んでいてもよい。第２部材には、第１方向に沿って第２部材を第２貫通しているとともに、スイッチが挿通された第２穴が形成されていてもよい。第２穴の周囲にある第３面及び第２穴の周囲にある第４面は、平坦になっていてもよい。少なくとも１個のリブは、第１穴中におけるスイッチの第２方向及び第３方向に沿った移動を規制するように配置されていてもよい。第２方向は、第１方向に直交していてもよい。第３方向は、第１方向及び第２方向に直交していてもよい。この場合、スイッチの第１穴への挿通がリブによりガイドされるため、スイッチと第２穴とが接触しにくくなることにより、スイッチの外周面に傷が付くことを抑制できる。
【０００９】
上記の加熱調理器において、第１部材は、樹脂材料製であってもよい。第２部材は、金属材料製であってもよい。
【００１０】
上記の加熱調理器において、少なくとも１個のリブは、第１方向において、第１面と面一になっている端面を含んでいてもよい。この場合、スイッチの第１穴への挿入を行い安くすることができる。
【００１１】
上記の加熱調理器において、少なくとも１個のリブは、複数のリブであってもよい。複数のリブの各々は、内壁面に沿って互いに離間して配置されていてもよい。この場合、リブと煮汁等との接触面積をさらに小さくすることができるため、スイッチがカバーに固着されてしまうことをさらに抑制できる。
【００１２】
上記の加熱調理器において、少なくとも１個のリブは、外周面と点接触可能な形状を有していてもよい。この場合、リブと煮汁等との接触面積をさらに小さくすることができるため、スイッチがカバーに固着されてしまうことをさらに抑制できる。
【００１３】
上記の加熱調理器において、外周面は、外周面と内壁面との間隔が第２面側から第１面側へ向かうにしたがって狭まるように傾斜していてもよい。この場合、第２穴と電源スイッチとの間の隙間からリブが見えにくくなることにより、カバーの意匠性を高めることができる。
【発明の効果】
【００１４】
本発明の一態様に係る加熱調理器によると、煮汁等によるスイッチのカバーへの固着を抑制することができる。
【図面の簡単な説明】
【００１５】
【図１】加熱調理器１００の斜視図である。
【図２】操作部４０の分解斜視図である。
【図３】第２面４５ｂ側から見た第１部材４５の平面図である。
【図４】図３のＩＶ−ＩＶにおける断面図である。
【図５】第４面４６ｂ側から見たカバー４４の平面図である。
【図６】図５のＶＩ−ＶＩにおける断面図である。
【図７】図５のＶＩ−ＶＩに相当する位置での第１比較例に係る加熱調理器のカバー４４の断面図である。
【図８】図５のＶＩ−ＶＩに相当する位置での第２比較例に係る加熱調理器のカバー４４の断面図である。
【図９】図５のＶＩ−ＶＩに相当する位置での第３比較例に係る加熱調理器のカバー４４の断面図である。
【発明を実施するための形態】
【００１６】
実施形態に係る加熱調理器（以下「加熱調理器１００」とする）の詳細を、図面を参照しながら説明する。以下の図面においては、同一又は相当する部分に同一の参照符号を付し、重複する説明は繰り返さないものとする。
【００１７】
（加熱調理器１００の構成）
以下に、加熱調理器１００の構成を説明する。
【００１８】
図１は、加熱調理器１００の斜視図である。加熱調理器１００は、筐体１０と、加熱部２０と、グリル加熱部３０と、操作部４０と、操作部５０と、操作部６０と、操作部７０と、制御部８０（図示せず）とを有している。加熱調理器１００は、ビルトイン式の加熱調理器である。
【００１９】
加熱部２０は、筐体１０の上面側に取り付けられている。加熱部２０は、例えばブンゼン式のガスバーナである。加熱部２０は、ブンゼン式のガスバーナ以外のガスバーナであってもよい。加熱部２０は、ＩＨ（Induction  Heating）クッキングヒータであってもよい。図１に示される例において、加熱部２０の数は３であるが、加熱部２０の数はこれに制限されるものではない。
【００２０】
グリル加熱部３０は、取り入れ・取り出し口が筐体１０の前面側に位置するように、筐体１０の内部に配置されている。グリル加熱部３０は、筐体１０の幅方向において、中央付近に位置している。
【００２１】
操作部４０、操作部５０、操作部６０及び操作部７０は、筐体１０の前面側に取り付けられている。操作部４０及び操作部６０は、筐体１０の幅方向においてグリル加熱部３０を挟み込むように配置されている。操作部５０及び操作部７０は、筐体１０の幅方向においてグリル加熱部３０を挟み込むように配置されている。操作部５０は、操作部４０の下方に配置されている。操作部７０は、操作部６０の下方に配置されている。
【００２２】
操作部５０及び操作部７０は、いわゆるカンガルーポケット型の操作部である。すなわち、操作部５０（操作部７０）が開いている状態においては、操作部５０（操作部７０）の操作パネルが外部に向かって露出している一方で、操作部５０（操作部７０）が閉じている状態においては、操作部５０（操作部７０）の操作パネルが筐体１０の内部に収納されている。
【００２３】
操作部４０は、電源スイッチ４１と、加熱部操作スイッチ４２とを有している。電源スイッチ４１が操作された際、加熱部２０の電源のオン及びオフが、制御部８０により切り替えられる。加熱部操作スイッチ４２が操作された際、加熱部２０の着火（駆動開始）及び消火（駆動終了）並びに加熱部２０の火力調整が、制御部８０により行われる。操作部６０は、グリル加熱部操作スイッチ６１を有している。グリル加熱部操作スイッチ６１が操作された際、グリル加熱部３０の着火及び消化並びにグリル加熱部３０の火力調整が、制御部８０により行われる。制御部８０は、例えばマイクロコントローラにより構成されている。
【００２４】
図２は、操作部４０の分解斜視図である。図２に示されるように、操作部４０は、操作部本体４３と、カバー４４とを有している。操作部本体４３は、電源スイッチ４１及び加熱部操作スイッチ４２を有している。電源スイッチ４１及び加熱部操作スイッチ４２は、操作部本体４３の前面４３ａに配置されている。なお、前面４３ａは、加熱調理器１００を使用するユーザ側を向いている面である。電源スイッチ４１及び加熱部操作スイッチ４２は、前面４３ａから第１方向ＤＲ１に沿って突出している。
【００２５】
カバー４４は、操作部本体４３の前面４３ａに取り付けられている。カバー４４は、第１部材４５と、第２部材４６とを有している。第１部材４５は、第２部材４６よりも前面４３ａの近くに配置されている。第１部材４５は、好ましくは、樹脂材料製である。第２部材４６は、好ましくは、ステンレス鋼等の金属材料製である。第２部材４６は、樹脂材料製であってもよい。
【００２６】
第１部材４５は、第１面４５ａと、第２面４５ｂとを有している。第１面４５ａは、前面４３ａに対向している。第２面４５ｂは、第１面４５ａの反対面である。第１面４５ａから第２面４５ｂに向かう方向が、上記の第１方向ＤＲ１になる。
【００２７】
第１部材４５には、穴４５ｃと、穴４５ｄとが形成されている。穴４５ｃ及び穴４５ｄは、第１方向ＤＲ１に沿って第１部材４５を貫通している。穴４５ｃには、電源スイッチ４１が挿通されている。穴４５ｄには、加熱部操作スイッチ４２が挿通されている。
【００２８】
図３は、第２面４５ｂ側から見た第１部材４５の平面図である。図４は、図３のＩＶ−ＩＶにおける断面図である。図３及び図４中において、電源スイッチ４１は、点線により示されている。図３及び図４に示されるように、穴４５ｃの内壁面４５ｃａは、平面視において、矩形形状を有している。「矩形形状」には、角が丸まっている矩形形状も含まれる。
【００２９】
なお、電源スイッチ４１も、平面視において、矩形形状を有している。電源スイッチ４１の外周面４１ａは、内壁面４５ｃａとの間の間隔が第２面４５ｂ側から第１面４５ａ側に向かうにしたがって狭まるように、第１方向ＤＲ１に対して傾斜している。外周面４１ａの第１方向ＤＲ１に対する傾斜角を、角度θ（図示せず）とする。角度θは、例えば、５°以上である。角度θは、１０°以上であることが好ましい。
【００３０】
穴４５ｃの内壁面４５ｃａには、リブ４５ｃｂが形成されている。リブ４５ｃｂは、内壁面４５ｃａから電源スイッチ４１の外周面４１ａに向かって突出している。リブ４５ｃｂの数は、少なくとも１である。図３中に示される例においては、リブ４５ｃｂの数は、４である。
【００３１】
４個のリブ４５ｃｂは、平面視における内壁面４５ｃａの矩形形状を構成している各辺に１個ずつ配置されている。すなわち、リブ４５ｃｂは、内壁面４５ｃａに沿って、互いに離間して配置されている。これにより、第２方向ＤＲ２及び第３方向ＤＲ３における電源スイッチ４１の穴４５ｃ中での移動が、規制されている。第２方向ＤＲ２は、第１方向ＤＲ１に直交する方向である。第３方向ＤＲ３は、第１方向ＤＲ１及び第２方向ＤＲ２に直交する方向である。
【００３２】
穴４５ｃの第１方向ＤＲ１における長さを、長さＬとする。リブ４５ｃｂの第１方向ＤＲ１における厚さを、厚さＴとする。厚さＴの値は、長さＬの値よりも小さい。厚さＴの値は、長さＬの０．５倍以下であることが好ましい。
【００３３】
リブ４５ｃｂは、端面４５ｃｂａ及び端面４５ｃｂｂと、側面４５ｃｂｃとを有している。端面４５ｃｂａ及び端面４５ｃｂｂは、第１方向ＤＲ１におけるリブ４５ｃｂの端面である。端面４５ｃｂｂは、端面４５ｃｂａの反対面である。端面４５ｃｂｂは、第１方向ＤＲ１において、端面４５ｃｂａよりも第１面４５ａから離れた位置にある。端面４５ｃｂａは、第１面４５ａと面一になっていることが好ましい。
【００３４】
側面４５ｃｂｃは、端面４５ｃｂａ及び端面４５ｃｂｂに連なっている。側面４５ｃｂｃは、電源スイッチ４１の外周面４１ａと対向している。側面４５ｃｂｃは、端面４５ｃｂａ側から端面４５ｃｂｂ側に向かうにしたがって内壁面４５ｃａとの間の距離が大きくなるように第１方向ＤＲ１に対して傾斜している。側面４５ｃｂｃは、平面視において、リブ４５ｃｂの外側に向かって凸の曲線形状になっている。そのため、リブ４５ｃｂは、外周面４１ａと点接触可能になっている。
【００３５】
図２に示されるように、第２部材４６は、第３面４６ａと、第４面４６ｂとを有している。第３面４６ａは、第２面４５ｂに対向している。第４面４６ｂは、第３面４６ａの反対面である。第２部材４６には、穴４６ｃと、穴４６ｄとが形成されている。穴４６ｃ及び穴４６ｄは、第１方向ＤＲ１に沿って第２部材４６を貫通している。穴４６ｃには、電源スイッチ４１が挿通されている。穴４６ｄには、加熱部操作スイッチ４２が挿通されている。穴４６ｃ及び穴４６ｄは、例えば打ち抜き加工により形成されている。
【００３６】
図５は、第４面４６ｂ側から見たカバー４４の平面図である。図６は、図５のＶＩ−ＶＩにおける断面図である。図５及び図６中において、電源スイッチ４１は、点線により示されている。図５及び図６に示されるように、穴４６ｃの内壁面４６ｃａは、平面視において、矩形形状を有している。リブ４５ｃｂは、平面視において、穴４６ｃの周囲に位置する第２部材４６により覆われている。すなわち、平面視において、穴４６ｃからは、リブ４５ｃｂが露出していない。
【００３７】
穴４６ｃの周囲にある第３面４６ａ及び穴４６ｃの周囲にある第４面４６ｂは、平坦になっていることが好ましい。このことを別の観点から言えば、穴４６ｃの周囲には、バーリングが設けられていない。なお、穴４６ｃに打ち抜き加工を行った際に生じたバリがある場合も、「穴４６ｃの周囲にある第３面４６ａ及び穴４６ｃの周囲にある第４面４６ｂが平坦になっている」に含まれる。
【００３８】
（加熱調理器１００の効果）
以下に、加熱調理器１００の効果を、第１比較例に係る加熱調理器（以下「加熱調理器２００」とする）、第２比較例に係る加熱調理器（以下「加熱調理器３００」とする）及び第３比較例に係る加熱調理器（以下「加熱調理器４００」とする）と対比することにより説明する。
【００３９】
図７は、図５のＶＩ−ＶＩに相当する位置での第１比較例に係る加熱調理器のカバー４４の断面図である。図７中において、電源スイッチ４１は、点線により示されている。図７に示されるように、加熱調理器２００は、リブ４５ｃｂの厚さＴの値が穴４５ｃの長さＬの値と等しくなっている点に関して、加熱調理器１００と共通している。加熱調理器２００は、その他の点に関して、加熱調理器１００と共通している。
【００４０】
加熱調理器１００（加熱調理器２００）を使用している際に、ユーザの手指に煮汁等が付着することがある。ユーザが煮汁等の付着した手指で電源スイッチ４１を操作すると、煮汁等が、電源スイッチ４１の外周面４１ａとリブ４５ｃｂとの間に侵入してしまうことがある。電源スイッチ４１の外周面４１ａとリブ４５ｃｂとの間に侵入した煮汁等が乾燥することにより、電源スイッチ４１が、第１部材４５（リブ４５ｃｂ）に固着されてしまうおそれがある。
【００４１】
しかしながら、加熱調理器１００は、穴４５ｃの長さＬに対するリブ４５ｃｂの厚さＴの比率が、加熱調理器２００よりも小さくなっている。そのため、加熱調理器１００においては、加熱調理器２００と比較して、リブ４５ｃｂと煮汁等との接触面積が小さくなるため、煮汁等による電源スイッチ４１の第１部材４５（リブ４５ｃｂ）への固着を、抑制することができる。
【００４２】
図８は、図５のＶＩ−ＶＩに相当する位置での第２比較例に係る加熱調理器のカバー４４の断面図である。図８中において、電源スイッチ４１は点線により示されている。図８に示されるように、加熱調理器３００は、穴４５ｃの内壁面４５ｃａにリブ４５ｃｂが形成されていない点に関して、加熱調理器１００と異なっている。加熱調理器３００は、その他の点に関して、加熱調理器１００と共通している。
【００４３】
加熱調理器３００においては、カバー４４を操作部本体４３の前面４３ａに取り付ける際に、電源スイッチ４１の外周面４１ａが、穴４６ｃと接触してしまうことがある。穴４６ｃは、上記のとおり、打ち抜き加工により形成されているため、穴４６ｃにバリが生じていることがある。穴４６ｃと外周面４１ａとが接触すると、このバリにより、外周面４１ａに傷が付いてしまう。
【００４４】
カバー４４を操作部本体４３の前面４３ａに取り付ける際、電源スイッチ４１は、穴４６ｃに通される前に、穴４５ｃに通される。加熱調理器１００においては、電源スイッチ４１が穴４５ｃに通される際、電源スイッチ４１の穴４５ｃ中における位置がガイドされる。そのため、加熱調理器１００においては、カバー４４を前面４３ａに取り付ける際に電源スイッチ４１の外周面４１ａと接触すること、ひいては、外周面４１ａに傷が付いてしまうことを抑制することができる。
【００４５】
図９は、図５のＶＩ−ＶＩに相当する位置での第３比較例に係る加熱調理器のカバー４４の断面図である。図９中において、電源スイッチ４１は、点線により示されている。図９に示されるように、加熱調理器４００は、穴４５ｃの内壁面４５ｃａにリブ４５ｃｂが形成されていない点及び第２部材４６がバーリング４６ｃｂを有しているに関して、加熱調理器１００と異なっている。バーリング４６ｃｂは、穴４６ｃの周縁において操作部本体４３の前面４３ａ側に起立している第２部材４６の部分である。加熱調理器４００は、その他の点に関して、加熱調理器１００と共通している。
【００４６】
加熱調理器４００は、バーリング４６ｃｂを有しているため、穴４６ｃと電源スイッチ４１の外周面４１ａとが接触しても、外周面４１ａにバリによる傷が付きにくい。しかしながら、バーリング４６ｃｂの基端部の丸みによる視覚的な効果により、穴４６ｃと電源スイッチ４１との間の隙間が広く見えてしまう。穴４６ｃと電源スイッチ４１との隙間広く見えてしまうことにより、カバー４４の意匠性が損なわれる。このように、加熱調理器１００によると、カバー４４の意匠性が損なわれることを防止しつつ、電源スイッチ４１の外周面４１ａに傷が付くことを抑制できる。
【００４７】
複数のリブ４５ｃｂが穴４５ｃの内壁面４６ｃａに沿って互いに離間して配置されている場合、リブ４５ｃｂと煮汁等との接触面積がさらに小さくなるため、煮汁等による電源スイッチ４１の第１部材４５（リブ４５ｃｂ）への固着をさらに抑制することができる。また、この場合には、電源スイッチ４１の穴４５ｃへの挿通がさらに行いやすくなる。端面４５ｃｂａが第１面４５ａと面一になっている場合、電源スイッチ４１の穴４５ｃへの挿通がさらに行いやすくなる。
【００４８】
リブ４５ｃｂが電源スイッチ４１の外周面４１ａと点接触可能な形状を有している場合には、リブ４５ｃｂと煮汁等との接触面積がさらに小さくなるため、煮汁等による電源スイッチ４１の第１部材４５（リブ４５ｃｂ）への固着をさらに抑制することができる。
【００４９】
電源スイッチ４１の外周面４１ａが穴４５ｃの内壁面４５ｃａとの間隔が第２面４５ｂ側から第１面４５ａ側へ向かうにしたがって狭まるように第１方向ＤＲ１に対して傾斜している場合、穴４６ｃと電源スイッチ４１との間の隙間からリブ４５ｃｂが見えにくくなるため、カバー４４の意匠性をさらに高めることができる。
【００５０】
以上のように本発明の実施形態について説明を行ったが、上述の実施形態を様々に変形することも可能である。また、本発明の範囲は、上述の実施形態に限定されるものではない。本発明の範囲は、特許請求の範囲によって示され、特許請求の範囲と均等の意味及び範囲内での全ての変更を含むことが意図される。
【産業上の利用可能性】
【００５１】
上記の実施形態は、加熱調理器に特に有利に適用されるものである。
【符号の説明】
【００５２】
１００，２００，３００，４００  加熱調理器、１０  筐体、２０  加熱部、３０  グリル加熱部、４０  操作部、４１  電源スイッチ、４１ａ  外周面、４２  加熱部操作スイッチ、４３  操作部本体、４３ａ  前面、４４  カバー、４５  第１部材、４５ａ  第１面、４５ｂ  第２面、４５ｃ  穴、４５ｃａ  内壁面、４５ｃｂ  リブ、４５ｃｂａ  端面、４５ｃｂｂ  端面、４５ｃｂｃ  側面、４５ｄ  穴、４６  第２部材、４６ａ  第３面、４６ｂ  第４面、４６ｃ  穴、４６ｃａ  内壁面、４６ｃｂ  バーリング、４６ｄ  穴、５０  操作部、６０  操作部、６１  グリル加熱部操作スイッチ、７０  操作部、８０  制御部、ＤＲ１  第１方向、ＤＲ２  第２方向、ＤＲ３  第３方向、Ｌ  長さ、Ｔ  厚さ、θ  角度。
【図１】
2020186876.tif 000003
【図２】
2020186876.tif 000004
【図３】
2020186876.tif 000005
【図４】
2020186876.tif 000006
【図５】
2020186876.tif 000007
【図６】
2020186876.tif 000008
【図７】
2020186876.tif 000009
【図８】
2020186876.tif 000010
【図９】
2020186876.tif 000011